(57)【要約】      （修正有）【課題】着脱が容易でかつ汚れやすい環境でも使用可能なフレキシブル表示シートの提供。【解決手段】少なくとも一方の面が表示面１１０とされている略矩形状のフレキシブル表示シート１００及びこれを適用したバリケードで、フレキシブル表示シート材は、表示面が高輝度反射部１２０と非反射部１２２とを含み、略矩形状のシートの対向する２辺には、それぞれの端部を折り返した袋部１１４が形成されており、これら袋部の内部にそれぞれの辺に沿って磁石１３０が取り付けられている。【選択図】図１
0003222053.tif 000002
【実用新案登録請求の範囲】
【請求項１】
少なくとも一方の面が表示面とされている略矩形状のフレキシブル表示シートであって、
前記表示面は、高輝度反射部と非反射部とを含み、
前記略矩形状の対向する２辺には、それぞれの端部を折り返した袋部が形成されており、前記袋部の内部にそれぞれの辺に沿って磁石が取り付けられていることを特徴とするフレキシブル表示シート。
【請求項２】
前記磁石は、所定の間隔ごとに複数個取り付けられていることを特徴とする請求項１記載のフレキシブル表示シート。
【請求項３】
前記磁石は、ネオジム磁石であることを特徴とする請求項１又は２に記載のフレキシブル表示シート。
【請求項４】
前記非反射部は、前記高輝度反射部の内側に配置され、かつ所定の方向を指示する形状を有することを特徴とする請求項１乃至３のいずれか１項に記載のフレキシブル表示シート。
【請求項５】
前記表示面には、透明な撥水層が積層されていることを特徴とする請求項１乃至４のいずれか１項に記載のフレキシブル表示シート。
【請求項６】
請求項１乃至５のいずれか１項に記載のフレキシブル表示シートを横棒に取り付けたことを特徴とするバリケード。
【請求項７】
前記フレキシブル表示シートの前記対向する２辺を下側に向けて、前記磁石どうしを結合したループ状に前記横棒に取り付けたことを特徴とする請求項６記載のバリケード。
【考案の詳細な説明】
【技術分野】
【０００１】
本発明は、道路や建築構造物の建設現場等において通行者にその存在を視認させるフレキシブル表示シート及びこれを適用したバリケードに関する。
【背景技術】
【０００２】
道路や建築構造物の建設現場等において、歩行者あるいは車両が通行する通路との間を仕切るバリケードのような仮設物が設置される。かかるバリケードには表示シートが取り付けられて、現場の関係者以外が建設現場等に無闇に立ち入ることができないよう、又は、誤って立ち入らないように注意喚起を促す表示機能を有する。そのため、日中及び夜間を問わず十分な視認性を与えることが求められるとともに、仮設物として容易に搬送及び設置、撤去できることなども要求される。
【０００３】
例えば、特許文献１には、一対の開脚式二股脚の頂部に横棒を張設したフレーム体の該横棒に略矩形の表示シートの一端部近傍を巻き付けて「のれん」状に形成した搬送容易な仮設式のバリケードが開示されている。フレキシブルな表示シートの巻き付け先端側の前縁部には着脱自在なホックを用いた複数組の取り付け用締結部材が与えられており、フレーム体の横棒に対して表示シートを着脱自在に係止できるようになっている。ここで、横棒には長手方向に間隔を空けて２つの吊り金具が固設されており、表示シートの取り付け用締結部材がこの吊り金具のそれぞれに固着される。これにより、表示シートが強風を受けたり、運搬時などにバリケードが立てられた場合にあっても、表示シートが一方にずれ込んで重なったり、下方にずり落ちて折り重なったりすることがなく、また、皺を生じて視認性を損ねさせてしまうことも防止できるとしている。
【０００４】
また、特許文献２には、複数個の光反射部を長手方向に連設させた光反射シートをパイプに巻き付けたバリケードが開示されている。かかるフレキシブルな光反射シートには、幅方向の一側に面ファスナーの雄部が形成され、他側には面ファスナーの雌部が形成されており、パイプの太さに関わりなくこれをパイプに巻き付けるだけで容易に着装できるのである。さらに面ファスナーに代えて磁石を用い得ることも述べられている。
【先行技術文献】
【特許文献】
【０００５】
【特許文献１】実用新案登録第３１３９３７９号公報
【特許文献２】実用新案登録第３１４８７０７号公報
【考案の概要】
【考案が解決しようとする課題】
【０００６】
上記したように、取り付け用締結部材として雄雌型のホックを用いたシート体をバリケードに着脱するには、複数のホックを１つ１つ留め外しする必要があり、着脱をより容易にすることが求められる。一方で、着脱を容易とするように、布製のテープや面ファスナーあるいは磁石を取り付け用締結部材に用いることが考慮されるが、特に、土埃の発生するような汚れやすい環境では、埃や汚れを噛み込んで結合強度が低下し、シート体が離脱して飛ばされるなど、安全上、問題となってしまう。
【０００７】
本考案は、以上のような状況に鑑みてなされたものであって、その目的は、着脱が容易でかつ汚れやすい環境でも使用可能なフレキシブル表示シート及びこれを適用したバリケードを提供することにある。
【課題を解決するための手段】
【０００８】
本考案は、少なくとも一方の面が表示面とされている略矩形状のフレキシブル表示シートであって、前記表示面は、高輝度反射部と非反射部とを含み、前記略矩形状の対向する２辺には、それぞれの端部を折り返した袋部が形成されており、前記袋部の内部にそれぞれの辺に沿って磁石が取り付けられていることを特徴とする。
【０００９】
かかる考案によれば、略矩形状のフレキシブル表示シートの対向する２辺において、それぞれの辺の端部を折り返した袋部を形成するとともに、その内部に磁石が取り付けられていることにより、ホックのように個別に留め外しする必要がなくまた磁石がシート材の表面に露出することがないため、着脱が容易でかつ汚れやすい環境でも使用可能なフレキシブル表示シートを提供できる。
【００１０】
上記した考案において、前記磁石は、前記それぞれの辺に沿って、所定の間隔ごとに複数個取り付けられてもよい。このとき、前記磁石は、ネオジム磁石であるのが好ましい。かかる考案によれば、結合（締結）位置が磁石の配置された位置に限定されるため、着脱作業がより容易となる。
【００１１】
また、上記した考案において、前記非反射部は、前記高輝度反射部の内側に配置され、かつ所定の方向を指示する形状を有するように構成してもよい。かかる考案によれば、通行者の視認性を高めるとともに、所定の方向に安全に誘導することが可能となる。
【００１２】
また、上記した考案において、前記表示面には、透明な撥水層が積層されていてもよい。かかる考案によれば、表示面に水滴が付着した場合であっても、ライト等の光の乱反射を抑制することができる。
【００１３】
さらに、本考案の別の側面として、上記したフレキシブル表示シートをバリケードの横棒に取り付けることもできる。このとき、前記フレキシブル表示シートの前記対向する２辺を下側に向けて、前記磁石どうしを結合したループ状に前記横棒に取り付けてもよい。かかる考案によれば、着脱の容易性を確保しつつ通行者の視認性を高めたバリケードを得ることができる。
【図面の簡単な説明】
【００１４】
【図１】本考案の代表的な一例によるフレキシブル表示シートの概略図であって、図１（ａ）は正面図、図１（ｂ）は背面図、図１（ｃ）は図１（ｂ）に示した袋部の近傍を拡大した側面図である。
【図２】フレキシブル表示シートの具体的な適用例を示す概略図であって、図２（ａ）は正面図、図２（ｂ）はバリケードに取り付けたときの正面図、図２（ｃ）は図２（ｂ）のＡ−Ａ線における断面図である。
【図３】フレキシブル表示シートの他の適用例を示す概略図であって、図３（ａ）は正面図、図３（ｂ）は上面図である。
【図４】フレキシブル表示シートのさらに他の適用例を示す概略図である。
【図５】フレキシブル表示シートのさらに他の適用例を示す概略図である。
【図６】フレキシブル表示シートのさらに他の適用例を示す概略図である。
【考案を実施するための形態】
【００１５】
以下、本考案による、少なくとも一方の面が表示面とされている略矩形状のフレキシブル表示シートの１つの実施例について、図１乃至図４を用いて説明する。
【００１６】
図１に示すように、フレキシブル表示シート１００は、少なくとも一方の面が表示面（表面）１１０とされており、略矩形の形状を有するシート材である。フレキシブル表示シート１００を構成する主たる素材としては、外力等によって容易に変形しまたその形状が回復できるものであって、プラスチックフィルム等の樹脂シート材料や、多数の繊維をシート状に編み込んだ繊維織物等が例示できる。また、裏面１１２側を別の表示面として構成してもよい。
【００１７】
図１（ａ）及び（ｃ）に示すように、表示面１１０は、高輝度反射部１２０と非反射部１２２とを含む。高輝度反射部１２０は、黄色や赤、オレンジ等の塗料で着色された領域であって、蛍光塗料を用いるとさらに好ましい。また、着色層の上に透明なレンズシート層１４０を積層してもよい。このような高輝度反射部１２０にライト等の光が照射されるとその光が強く反射される。
【００１８】
一方、非反射部１２２は、黒やグレー等の光の反射が小さい色の塗料で着色された領域として構成される。非反射部１２２は通常、高輝度反射部１２０に囲まれる態様で形成され、任意の図形や文字等の形状とされてもよい。これにより、例えば夜間にライトが照射された場合等に、通行者が高輝度反射部１２０による強い反射光でフレキシブル表示シート１００の存在を視認しやすくなるとともに、非反射部１２２の形状を把握しやすくなる。
【００１９】
図１（ｂ）及び（ｃ）に示すように、フレキシブル表示シート１００の裏面１１２側には、略矩形状の対向する２辺の端部を折り返して接合した袋部１１４が形成されている。そして、対向する袋部１１４のそれぞれには、袋部１１４が形成された２辺に沿って所定の間隔Ｄごとに複数の磁石１３０が取り付けられている。これにより、ホックのように個別に留め外しする必要がなく着脱が容易となる。
【００２０】
ここで、磁石１３０は、板状のネオジム磁石やラバー磁石等が適用できる。また、磁石１３０は２辺に沿った単一の磁石を用いても良いが、所定の間隔Ｄで複数個設けた方が磁石１３０による結合位置が限定されるため、その着脱が容易となる。このように、袋部１１４の内部に磁石１３０を取り付けたことにより、磁石１３０の接合面がシートの外部に露出することがないため、例えば工事現場等の土埃が発生するような汚れやすい環境であっても、結合強度が低下することなく使用可能となる。
【００２１】
次に、図２乃至図４を参照して、フレキシブル表示シート１００の具体的な適用例について説明する。なお、図２乃至図４においては、表示面１１０の非反射部１２２の形状として、所定の方向を指示する（例えば、図２（ａ）に図示したものは左方向）ものを例示している。
【００２２】
図２（ａ）及び（ｂ）に示すように、フレキシブル表示シート１００は、工事現場等に設置されるバリケード１０に取り付けられる。バリケード１０は、例えば一対の脚部１２ａ、１２ｂと、これらを上端で連結する横棒１４ａと、この横棒１４ａと対向する位置で脚部１２ａ及び１２ｂを結合する補強棒１４ｂとを含む枠構造を有する。
【００２３】
図２（ｃ）に示すように、本例において、フレキシブル表示シート１００は、袋部１１４が形成された対向する２辺の中間部近傍で折り曲げられた状態で、バリケード１０の横棒１４ａと接触しつつ、袋部１１４が下側に位置して磁石１３０が結合したループ状に取り付けられる。このとき、袋部１１４に内包された磁石１３０の重さが錘として機能するため、フレキシブル表示シート１００の横棒１４ａへの取り付けが安定する。
【００２４】
また、フレキシブル表示シート１００をループ状に取り付ける構造のため、例えばバリケード１０の横棒１４ａに既存のバリケードシートが取り付けられていたとしても取り外す必要がなく、これを覆うようにフレキシブル表示シート１００を取り付けることができる。さらに、図２（ｂ）では横棒１４ａとしてパイプ状のものを例示しているが、例えばロープ状やチェーン状の部材を用いた場合であっても、フレキシブル表示シート１００がその形状に追従するため、任意の素材のバリケード１０に取り付けることも可能となる。
【００２５】
また、図３に示すように、フレキシブル表示シート１００は、他の適用例として、道路３０の歩道３２等に設置された鉄製のガードレール２０に取り付けることもできる。一般のガードレール２０は、図３（ａ）に示すように歩道３２に立設された支柱２２に対して複数の横ビーム又は波板２４を締結した構造となっている。そして、この横ビーム又は波板２４に磁石１３０を吸着させることにより、表示面１１０を広げた状態でフレキシブル表示シート１００をガードレール２０の側面に取り付けることができる。
【００２６】
このとき、図３（ｂ）に示すように、フレキシブル表示シート１００は柔軟性を有するため、例えばカーブする道路３０の歩道３２に沿って設置されたガードレール２０に対しても、湾曲した形状に追従させて取り付けることが可能となる。これにより、夜間の運転中にカーブに差し掛かった運転者に対しても、表示面１１０がライトの光を強く反射するため、カーブする道路３０及びガードレール２０の存在を強く視認させることができる。
【００２７】
さらに、フレキシブル表示シート１００は、他の適用例として、鉄製の車体からなる車両の側面に取り付けることもできる。
【００２８】
図４に示すように、自動車４０の運転席４２のドア側面や荷台４４の側面に磁石１３０を吸着させることにより、表示面１１０を広げた状態でフレキシブル表示シート１００を取り付けることができる。
【００２９】
このとき、非反射部１２２として所定の方向を指示する形状のものを用いた場合、通行者に対してフレキシブル表示シート１００を取り付けた自動車４０の存在を視認させるとともに、所定の方向へ安全に誘導することが可能となる。また、自動車４０等の車両は自由に場所を移動できるため、様々な場所に移動してフレキシブル表示シート１００を使用することもできる。
【００３０】
また、図５に示すように、例えば敷地の境界に設置された大型鉄板による平面バリケード５０に対して、横方向（図５（ａ））あるいは縦方向（図５（ｂ））に複数枚のフレキシブル表示シート１００を繋いで設置してもよい。このとき、フレキシブル表示シート１００の外周近傍に連結用の取付具（図示せず）を設けても良い。これにより、フレキシブル表示シート１００の設置面積を大きく取れるため、遠方からの視認性を向上することができる。
【００３１】
さらに、図６に示すように、リング状の取付具１６ｂを介して横棒１４ａに吊り下げられた金属板１６ａを含む従来型のバリケード１０に対して取り付けることも可能である。すなわち、フレキシブル表示シート１００を高さ方向の中間で折り曲げた状態で、上記金属板１６ａを挟んで袋部１１４が形成された対向する２辺に設けられた磁石１３０どうしを結合する。これにより、既存のバリケード１０にも上記したフレキシブル表示シート１００を適用することができるため、コスト低減にも寄与できる。
【００３２】
ここまでの実施例で示したフレキシブル表示シートは、略矩形状のフレキシブル表示シートの対向する２辺において、それぞれの辺の端部を折り返した袋部を形成するとともに、その内部に磁石が取り付けられていることにより、ホックのように個別に留め外しする必要がなくまた磁石がシート材の表面に露出することがないため、着脱が容易でかつ汚れやすい環境でも使用可能なフレキシブル表示シートを提供できる。
【００３３】
また、さらなる変形例として、例えば、図１において、表示面の着色層の上に透明なレンズシート層を積層する場合を例示したが、このレンズシート層に代えてあるいは加えて、透明な撥水層を形成してもよい。これにより、表示面に水滴が付着した場合であっても、ライトの光による乱反射を抑制することが可能となる。
【００３４】
さらに、図３において、カーブに設置されたガードレールに対してフレキシブル表示シートを取り付ける場合を例示したが、カーブだけでなく交差点等において２方向に屈曲するガードレールに取り付けてもよい。これにより、２方向の車線のそれぞれを走行する運転者が視認できるようになるとともに、走行方向の誘導も行うことが可能となる。
【００３５】
以上、本考案による実施例及びこれに基づく変形例を説明したが、本考案は必ずしもこれらの例に限定されるものではない。また、当業者であれば、本考案の主旨又は添付した実用新案登録請求の範囲を逸脱することなく、様々な代替実施例及び改変例を見出すことができるであろう。
【符号の説明】
【００３６】
１０  バリケード
１２ａ、１２ｂ  脚部
１４ａ  横棒
１４ｂ  補強棒
２０  ガードレール
２２  支柱
２４  波板
３０  道路
３２  歩道
４０  自動車
４２  運転席
４４  荷台
５０  平面バリケード
１００  フレキシブル表示シート
１１０  表示面
１１２  裏面
１１４  袋部
１２０  高輝度反射部
１２２  非反射部
１３０  磁石
１４０  レンズシート層
【図１】
0003222053.tif 000003
【図２】
0003222053.tif 000004
【図３】
0003222053.tif 000005
【図４】
0003222053.tif 000006
【図５】
0003222053.tif 000007
【図６】
0003222053.tif 000008